(57)【特許請求の範囲】
【請求項１】
一方の引戸１の框２に内装された板状の鎌キャッチャー３と、この鎌キャッチャー３に自在に係脱する鎌片４を前記框２に対向する框５内に備えた他方の引戸６とから成り、前記鎌キャッチャー３は、左右の引戸をそれぞれ閉める方向へ移動すると、鎌片４との係合位置が変わる複数の矩形波形状の係合溝８をその左右方向の一端部から他端部に向かって有すると共に、バネ部材１２のバネ力に抗して上下動することができるように框２に内装され、一方、鎌片４は框５に摺動自在に内装された作動部材２３の作動により回転するように固定支軸３０を介して軸支されていると共に、その内面から突出する係合突起部１４の形状はラチェット歯状であり、閉戸時、該係合突起部１４が前記係合溝の一つに係合した状態で前記一方の引戸１又は他方の引戸６を完全に閉止すると、選択的に鎌キャッチャー３の他の係合溝に係合することを特徴とする引き違い戸の鎌錠装置。
【請求項２】
請求項１に於いて、鎌片４の係合突起部１４は、その首状中間部４ｂの内側に形成されていることを特徴とする引き違い戸の鎌錠装置。
【請求項３】
一方の引戸１の框２に内装された板状の鎌キャッチャー３Ａと、この鎌キャッチャー３Ａに自在に係脱する鎌片４Ａを前記框２に対向する框５内に備えた他方の引戸６とから成り、前記鎌キャッチャー３Ａは、左右の引戸をそれぞれ閉める方向へ移動すると、鎌片４Ａとの係合位置が変わる複数のラチェット歯状の係合溝８Ａをその左右方向の一端部から他端部に向かって有すると共に、バネ部材１２のバネ力に抗して上下動することができるように框２に内装され、一方、鎌片４Ａは框５に摺動自在に内装された作動部材２３の作動により回転するように固定支軸３０を介して軸支されていると共に、その内面から突出する係合突起部１４Ａの形状は矩形波形状であり、閉戸時、該係合突起部１４Ａが前記係合溝の一つに係合した状態で前記一方の引戸１又は他方の引戸６を完全に閉止すると、選択的に鎌キャッチャー３Ａの他の係合溝に係合することを特徴とする引き違い戸の鎌錠装置。
【請求項４】
一方の引戸１の框２Ｂに内装された板状の鎌キャッチャー３Ｂと、この鎌キャッチャー３Ｂに自在に係脱する鎌片４Ｂを前記框２に対向する框５内に備えた他方の引戸６とから成り、前記鎌キャッチャー３Ｂは、左右の引戸をそれぞれ閉める方向へ移動すると、鎌片４Ｂとの係合位置が変わる矩形波形状の係合溝８Ｂをその左右方向の一端部から他端部に向かって有すると共に、バネ部材１２Ｂのバネ力に抗して水平移動することができるように框２に内装され、一方、鎌片４Ｂは框５に摺動自在に内装された作動部材２３の作動により回転するように固定支軸３０を介して軸支されていると共に、その先端部４ａの内面から突出する係合突起部１４Ｂの形状はラチェット歯状であり、閉戸時、該係合突起部１４Ｂが前記係合溝の一つに係合した状態で前記一方の引戸１又は他方の引戸６を完全に閉止すると、選択的に鎌キャッチャー３Ｂの他の係合溝に係合することを特徴とする引き違い戸の鎌錠装置。
【請求項５】
一方の引戸１の框２Ｃに内装された板状の鎌キャッチャー３Ｃと、この鎌キャッチャー３Ｃに自在に係脱する鎌片４Ｃを前記框２Ｃに対向する框５内に備えた他方の引戸６とから成り、前記鎌キャッチャー３Ｃは、左右の引戸をそれぞれ閉める方向へ移動すると、鎌片４Ｃとの係合位置が変わる複数のラチェット歯状の係合溝８Ｃをその左右方向の一端部から他端部に向かって有すると共に、バネ部材１２Ｃのバネ力に抗して水平動することができるように框２Ｃに内装され、一方、鎌片４Ｃは框５に摺動自在に内装された作動部材２３の作動により回転するように固定支軸３０を介して軸支されていると共に、その内面から突出する係合突起部１４Ｃ形状は矩形波形状であり、閉戸時、該係合突起部１４Ｃが前記係合溝の一つに係合した状態で前記一方の引戸１又は他方の引戸６を完全に閉止すると、選択的に鎌キャッチャー３Ｃの他の係合溝に係合することを特徴とする引き違い戸の鎌錠装置。
【発明の詳細な説明】
【０００１】
【発明の属する技術分野】
本発明は、引き違い戸の鎌錠装置に関する。
【０００２】
【従来の技術】
例えば二枚以上の引戸を戸枠内に互い違いかつスライド自在に嵌め込んだ場合、当該引戸を通称「引き違い引戸」と呼んでいる。このような引戸の場合においては、左右の引戸を閉めてから鎌片でロックする。この場合若干の位置ズレがあっても、簡単な操作により引戸を完全に閉じることができることが望ましい。
【０００３】
現在、一方の引戸の框内に組込まれた鎌片受け部材（以下、「鎌キャッチャー」という。）が、左右の引戸のいずれか一方を閉じる方向へ移動させた場合においても、そのまま係止機能を発揮する引き違い戸の鎌錠装置の出現が要望されている。
【０００４】
【発明が解決しようとする課題】
本発明の第１の目的は、引戸の若干の位置ズレに対し、鎌片側の操作片を操作しなくても、引戸を閉めると言う簡単な操作により、引戸を完全に閉止しかつロック状態をそのまま保持することができることである。第２の目的は、戸厚がなくても（戸厚が薄い場合＝薄い引戸）であっても、使用することができることである。第３の目的は、係止機能を十分に発揮させることが出来ることである。第４の目的は、構成する部品点数を少なくすることである。第５の目的は、鎌錠装置の取り付け作業の効率化を図ることができることである。
【０００５】
【課題を解決するための手段】
本発明の引き違い戸の鎌錠装置は、一方の引戸１の框２に内装された板状の鎌キャッチャー３と、この鎌キャッチャー３に自在に係脱する鎌片４を前記框２に対向する框５内に備えた他方の引戸６とから成り、前記鎌キャッチャー３は、左右の引戸をそれぞれ閉める方向へ移動すると、鎌片４との係合位置が変わる複数の矩形波形状の係合溝８をその左右方向の一端部から他端部に向かって有すると共に、バネ部材１２のバネ力に抗して上下動することができるように框２に内装され、一方、鎌片４は框５に摺動自在に内装された作動部材２３の作動により回転するように固定支軸３０を介して軸支されていると共に、その内面から突出する係合突起部１４の形状はラチェット歯状であり、閉戸時、該係合突起部１４が前記係合溝の一つに係合した状態で前記一方の引戸１又は他方の引戸６を完全に閉止すると、選択的に鎌キャッチャー３の他の係合溝に係合することを特徴とする。
【０００６】
また本発明の引き違い戸の鎌錠装置は、一方の引戸１の框２に内装された板状の鎌キャッチャー３Ａと、この鎌キャッチャー３Ａに自在に係脱する鎌片４Ａを前記框２に対向する框５内に備えた他方の引戸６とから成り、前記鎌キャッチャー３Ａは、左右の引戸をそれぞれ閉める方向へ移動すると、鎌片４Ａとの係合位置が変わる複数のラチェット歯状の係合溝８Ａをその左右方向の一端部から他端部に向かって有すると共に、バネ部材１２のバネ力に抗して上下動することができるように框２に内装され、一方、鎌片４Ａは框５に摺動自在に内装された作動部材２３の作動により回転するように固定支軸３０を介して軸支されていると共に、その内面から突出する係合突起部１４Ａの形状は矩形波形状であり、閉戸時、該係合突起部１４Ａが前記係合溝の一つに係合した状態で前記一方の引戸１又は他方の引戸６を完全に閉止すると、選択的に鎌キャッチャー３Ａの他の係合溝に係合することを特徴とする。
【０００７】
また本発明の引き違い戸の鎌錠装置は、一方の引戸１の框２Ｂに内装された板状の鎌キャッチャー３Ｂと、この鎌キャッチャー３Ｂに自在に係脱する鎌片４Ｂを前記框２に対向する框５内に備えた他方の引戸６とから成り、前記鎌キャッチャー３Ｂは、左右の引戸をそれぞれ閉める方向へ移動すると、鎌片４Ｂとの係合位置が変わる矩形波形状の係合溝８Ｂをその左右方向の一端部から他端部に向かって有すると共に、バネ部材１２Ｂのバネ力に抗して水平移動することができるように框２に内装され、一方、鎌片４Ｂは框５に摺動自在に内装された作動部材２３の作動により回転するように固定支軸３０を介して軸支されていると共に、その先端部４ａの内面から突出する係合突起部１４Ｂの形状はラチェット歯状であり、閉戸時、該係合突起部１４Ｂが前記係合溝の一つに係合した状態で前記一方の引戸１又は他方の引戸６を完全に閉止すると、選択的に鎌キャッチャー３Ｂの他の係合溝に係合することを特徴とする。
【０００８】
さらに、本発明の引き違い戸の鎌錠装置は、一方の引戸１の框２Ｃに内装された板状の鎌キャッチャー３Ｃと、この鎌キャッチャー３Ｃに自在に係脱する鎌片４Ｃを前記框２Ｃに対向する框５内に備えた他方の引戸６とから成り、前記鎌キャッチャー３Ｃは、左右の引戸をそれぞれ閉める方向へ移動すると、鎌片４Ｃとの係合位置が変わる複数のラチェット歯状の係合溝８Ｃをその左右方向の一端部から他端部に向かって有すると共に、バネ部材１２Ｃのバネ力に抗して水平動することができるように框２Ｃに内装され、一方、鎌片４Ｃは框５に摺動自在に内装された作動部材２３の作動により回転するように固定支軸３０を介して軸支されていると共に、その内面から突出する係合突起部１４Ｃ形状は矩形波形状であり、閉戸時、該係合突起部１４Ｃが前記係合溝の一つに係合した状態で前記一方の引戸１又は他方の引戸６を完全に閉止すると、選択的に鎌キャッチャー３Ｃの他の係合溝に係合することを特徴とする。
【０００９】
【発明の実施の形態】
まず、図１及び図２により本発明の実施形態の第１実施例を説明する。Ｘは引戸に取り付けられた鎌錠装置で、この鎌錠装置Ｘは、外側引戸（一方の引戸の意味）１の外框２内に設けられた鎌キャッチャー３と、この鎌キャッチャー３に自在に係合する鎌片４を内框５に備えた内側引戸（他方の引戸の意味）６とから構成されている。
【００１０】
図１で示すように、外框２は外側引戸１の一端部に設けられた縦框であり、引戸１，６を互いに閉めた際に内框５と対向する合わせ縦板２ａの中央部或いは中央部よりの部位には、鎌片用窓７が形成されている。この鎌片用窓７の開口幅は、鎌キャッチャー３の係合幅を考慮してやや幅広に形成されている。なお、ここで框２には、該框に固定的に内装された支持フレームも含まれる。
【００１１】
外框２内には、鎌片用窓７に臨んで１個の鎌キャッチャー３がバネ部材のバネ力に抗して上下動可能に設けられている。
【００１２】
図３を参照にすると、鎌キャッチャー３は、全体として長板状（やや厚みのある台状も含まれる）に形成されている。しかして、８は下端部に形成された係合端部で、本実施例では外側引戸１のスライド方向に矩形波形状に形成されている。付言すると、鎌キャッチャー３は、長板状の左右方向の一端部から他端部に向かって複数個の矩形波形状の係合溝８（８ａ，８ｂ，８ｃ，８ｄ）を有する。一方、鎌片４は、後述するように、框５に摺動自在に内装された作動部材２３の作動により回転するように固定支軸３０を介して軸支されていると共に、その内面から突出する係合突起部１４の形状はラチェット歯状であり、閉戸時、該係合突起部１４が前記係合溝の一つに係合した状態で前記一方の引戸１又は他方の引戸６を完全に閉止すると、選択的に鎌キャッチャー３の他の係合溝に係合する。また９は引戸１のスライド方向の両端部（左右端部の意味）にそれぞれ形成された耳状嵌合部である。左右の嵌合部９，９は、引框２の合わせ縦板２ａと交差する左右縦板２ｂにそれぞれ形成された垂直案内部（垂直ガイド長孔，垂直案内切欠溝，垂直切欠部など）１０に遊嵌合している。さらに、１１は上端部に形成された複数個のバネ端受部である。このバネ端受部１１は、本実施例ではコイルばねの下端部を収納することができる合計２個の支持穴である。
【００１３】
１２は鎌キャッチャー３を下方方向へ付勢するバネ部材の一例としての複数個のコイルばねで、前述したようにコイルばねの下端部１２ａはバネ端受部１１に支持され、一方、その上端部１２ｂは外框２内に適宜に固定されたバネ端受板１３に適宜に支持されている。
【００１４】
鎌片４は、本実施例では合計５枚の係合爪片を段差状に組み合わせて構成され、図示するように首状中間部４ｂの内側に複数（二枚）の爪状係合突起部１４を有する。この爪状係合突起部１４は、鎌片４の掛合時に鎌キャッチャー３の各係合溝８ａ，８ｂ，８ｃ，８ｄに選択的に係合する。
【００１５】
しかして、鎌キャッチャー３の係合端部８は、その左右方向の一端部から他端部に向かって複数個の矩形波形状であることから、この係合部８に係脱する鎌片４の爪状（本実施例では、図３で示すようにラチェット歯状）の係合突起部１４には、各係合溝内の垂直面と面接触可能な係止面１４ａと、この係止面１４ａに傾斜状に連設しかつ係合端部８の各稜辺と摺接するスライド係合面１４ｂとがそれぞれ形成されている。本実施例では、鎌片４の掛合時において、二枚の爪状係合突起部１４，１４が、対応する鎌キャッチャー３の各係合溝８ａ，８ｂ，８ｃ，８ｄのいずれかに同時に係合する。
【００１６】
次に図２には鎌片４と関係する環境部材が示されている。各環境部材については簡単に説明する。１５は外框２の鎌片用窓７と対向可能な鎌片出入り口１６を有するフロント、１７は内框５の開口部１８内に組込まれたケース状固定枠、１９は内框５に複数個の固着具２０を介して固定された内側カバー（通称、内側エスカチオン）、２１は内側カバーの内壁面に形成された切欠部２２内に組込まれた断面十字形状の操作片、２３はケース状固定枠１７に上下動自在（摺動自在の意味）に内装された枠状作動部材である。この枠状作動部材２３と操作片２１は一体的に設けられ、駆動部材としての機能を果たす。
【００１７】
なお、内側カバー（通称、内側エスカチオン）１９に操作片２１の摘み部２１ａ用案内小切欠部２５などが形成されている。また、ケース状固定枠１７にも操作片２１の案内小切欠部２６やフロント１５の鎌片出入り口１６と符合する窓状開口２７が形成されている。
【００１８】
鎌片４は、先端部４ａ、首状中間部４ｂ、後端部４ｃに区分けされるが、前記後端部４ｃはケース状固定枠１７に横設軸架された固定支軸３０に軸支され、かつ、後端部４ｃに形成されたＴ字型状の係合孔に係合する作動部材２３の作動軸３１に係止されている。
【００１９】
図４及び図５は、鎌キャッチャー３がバネ部材１２にそれぞれ圧されて初期位置に停止し、かつ、鎌片４が非掛合状態であることを示す。この非掛合状態において、操作片２１の操作により作動部材２３が下降すると、鎌片４は固定支軸３０を中心に回転する。
【００２０】
図６及び図７は、引戸１，６を閉めた際に、引戸の位置ズレが若干あってもそれを無視し、そのまま鎌片４を係合（掛合）方向へと回した場合の状態を示している。
【００２１】
ここで、図８を参照に外（右）側引戸１を矢印Ａ方向へと閉める場合について説明する。今仮に戸枠との間に若干の隙間が発生しているのにも関わらず、鎌片４を鎌キャッチャー３に掛合わせたと仮定する。この場合仮想線で示すように鎌キャッチャー３の右側の係合溝、例えば係合溝８ａ，８ｂに鎌片４の二枚の係合突起部１４が係合する。鎌片４は操作片２１で作動部材２３を上方に引き上げない限り回転しない。これに対し、鎌キャッチャー３は、バネ部材１０のバネ力に抗して上昇することができる。
【００２２】
したがって、引戸１，６の一方、例えば外側引戸１を閉じる方向Ａへと引くと、鎌キャッチャー３は引戸の水平移動に対応して停止（固定）位置にある鎌片４のスライド係合面１４ｂを登り始める。この場合鎌キャッチャー３は実践で示すように２個のバネ部材１２のバネ力に抗して上昇する。そして、鎌キャッチャー３はニ枚の係合突起部１４の登りきると、バネ部材の復帰力により落下するから、両者の係合位置が変わる。それ故に、鎌キャッチャー３は引戸１の移動量に対応して上下運動をし、引戸１は戸枠に対して完全に閉じる。
【００２３】
【実施例】
この実施例の欄では、第１実施例と均等と考えられる他の実施例について説明する。なお、他の実施例を説明するに当たって、同一の部分には同一又は同様の符号を付し、重複する説明を省略する。また必要な図面については第１実施例の各図面を援用する。
【００２４】
図９及び図１０は主要部の第２実施例を示す。この第２実施例は鎌キャッチャー３Ａの下端部に形成された係合端部８Ａの形状と、この係合端部８Ａに係脱する鎌片４Ａの係合突起部１４Ａの形状が異なる。
【００２５】
すなわち、鎌片４Ａの相手側の方の鎌キャッチャー３Ａの係合端部８Ａの形状は、矩形波形状ではなく、「内外の引戸６，１をそれぞれ閉める方向Ａに移動すると、鎌片４Ａとの係合位置が変わるラチェット歯状」に形成されている（第１実施例とは逆である）。
【００２６】
ところで、普通一般に「ラチェット歯」は、軸に対して回転する歯車に形成された周方向の係合歯を意味する。しかし、ここでは「ラチェット歯状」の意味合いを、引戸を閉める方向Ａへ水平移動させると当該引戸と共に移動するのに対し、引戸を開く方向へは当該引戸の移動（引戸の戻り）を阻止する機能を有する並列的係合歯として使用する。
【００２７】
したがって、鎌キャッチャー３Ａの係合端部８Ａは、鎌片４Ａの矩形波形状の係合突起部１４Ａと係合する垂直係止面４０と、この垂直係止面４０と連設する斜め方向のスライド係合面４１とを連続的に有する。
【００２８】
上記構成において、図１０（図８に相当する。）を参照にして鎌キャッチャー３Ａの上下動を説明すると、例えば引戸１を閉める方向Ａに移動すると、鎌キャッチャー３Ａは引戸１の水平移動に対応して停止（固定）位置にある鎌片４Ａの各係合突起部１４Ａの稜辺を接線方向へとスライドしながら上昇する。この場合鎌キャッチャー３Ａは実践で示すように２個のバネ部材１２のバネ力に抗して上昇する。そして、鎌キャッチャー３Ａはニ個の係合突起１４Ａを乗り越えると、バネ部材１２の復帰力により落下するから、両者の係合位置が変わる。それ故に、鎌キャッチャー３Ａは引戸１の移動量に対応して上下運動をし、引戸１は戸枠に対して完全に閉じる。
【００２９】
図１１乃至図１５は、第３実施例を示す。第１実施例に対し、この第３実施例の鎌キャッチャー３Ｂは、水平方向へ移動するように外框２Ｂに組込まれている点、また鎌片４Ｂは、掛合時に鎌キャッチャー３Ｂの係合端部８Ｂの係合溝に係合する爪状係合突起部１４Ｂを先端部４ａの内側に有する点が異なる。
【００３０】
したがって、引戸を閉めた時において、鎌片４Ｂの爪状係合突起部１４Ｂに対する鎌キャッチャー３Ｂの係合端部８Ｂの係脱状態は、第１実施例と同じなので、作動状態を示す図面は省略してある。
【００３１】
図１１を基準に各構成部材を簡単に説明すると、２Ｂは外側引戸１の外框である。２ａは外框２Ｂの合わ縦板で、この合わ縦板２ａの、望ましくは内壁面にバネ部材１２Ｂの一端部を支持するバネ端用受穴４５が合計２個形成されている。２ｂは外框２Ｂの左右縦板で、この左右縦板２ｂには水平案内部１０Ｂが形成されている。
【００３２】
しかして、３Ｂは複数個のバネ部材１２Ｂのバネ力に抗して水平移動する鎌キャッチャー３Ｂで、この鎌キャッチャー３Ｂの係合端部８Ｂは、第１実施例と同様に矩形波形状に形成されている。
【００３３】
一方、４Ｂは前記鎌キャッチャー３Ｂの係合端部８Ｂに係合する二枚の爪状係合突起部で、これらの係合突起部４Ｂも第１実施例と同様にそれぞれ係止面１４ａと、スライド係合面１４ｂとを有する。該構成においても、第１実施例と同一の作用・効果がある。
【００３４】
最後に図１６は、第３実施例に対して均等と考えられる第４実施例を示す。この第４実施例の鎌キャッチャー３Ｃと鎌片４Ｃとの係合関係は、図８及び図１０に示した実施例と全く同様である。したがって、便宜上、鎌キャッチャー３Ｃの係合端部８Ｃの係合面には鎌キャッチャー３Ｃと同一の符号４０，４１を付す。
【００３５】
また第４実施例は、図１１乃至図１５に示した第３実施例と同様である。すなわち、第１実施例に対し、この第４実施例の鎌キャッチャー３Ｃは、水平方向へ移動するように外框２Ｃに組込まれている点、また鎌片４Ｃは、掛合時に鎌キャッチャー３Ｃのラチェット歯形状の係合端部８Ｃに係合する矩形波形状係合突起部１４Ｃを先端部４ａの内側に有する点が異なる。
【００３６】
したがって、バネ部材１２Ｃ、水平案内部１０Ｃ、ばね端用受穴４５Ｃなどは第３実施例と同一なので、便宜上同様の符号を付して重複する説明を省略する。
【００３７】
この第４実施例も、鎌キャッチャー３Ｃは、左右の引戸をそれぞれ閉める方向へ移動すると、鎌片４Ｃとの係合位置が変わるラチェット歯状の係合端部８Ｃを有するので、バネ部材１２Ｃのバネ力に抗して水平移動し、その結果、引戸を完全に閉じることができる。
【００３８】
なお、例えば第１実施例では、鎌キャッチャー３は、図２を基準にすると上向きであるが、これは鎌片４との係合関係を考慮したものである。したがって、鎌片４の取付け如何によって鎌片の先端部４ａが下向きに係合する場合には、当然鎌キャッチャー３は下向きに軸支される。
【００３９】
【発明の効果】
以上の説明から明らかなように、本発明にあっては、次に列挙するような作用・効果がある。
（１）引戸の若干の位置ズレに対し、鎌片側の操作片を操作しなくても、引戸を閉めると言う簡単な操作により、引戸を完全に閉止しかつロック状態をそのまま保持することができる。
（２）戸厚がなくても（薄い引戸）であっても、使用することができる。
（３）係止機能を十分に発揮させることができる。
（４）構成する部品点数を少なくすることができる。
（５）鎌錠装置の取り付け作業の効率化を図ることができる。
（６）実施例如何（第１実施例，第３実施例）によっては、例えば鎌錠装置がユニット化
されている場合、室内側に設けられた「シリンダ＋サムターン型」と、「メクラプレート＋サムターン型」を交換するだけで、室内側に置かれた荷物の位置を変更しないで済む。つまり、第１実施例や第３実施例のように、鎌キャッチャー（３，３Ｂ）の鎌片と係脱する係合端部（８，８Ｂ）が矩形波形状に形成されている場合には、鎌キャッチャーに左右勝手がないから、当業者間ではシリンダとメクラプレートユニットを交換するだけで、外側扉の施錠位置を変更（交換）することができる。
【図面の簡単な説明】
図１乃至図８は本発明の第１実施例を示す各説明図。図９及び図１０は第２実施例を示す各説明図、図１１乃至図１５は第３実施例を示す各説明図、図１６は第４実施例を示す説明図。
【図１】発明の実施形態の一例を示す概略説明図。
【図２】実施形態の概略断面説明図。
【図３】主要部材の斜視からの説明図。
【図４】及び
【図５】鎌片と鎌キャッチャーとの非掛合状態を示す各説明図。
【図６】及び
【図７】鎌片と鎌キャッチャーとの掛合状態を示す各説明図。
【図８】外側引戸を閉じる方向Ａに引いた場合の作動状態を示す説明図。
【図９】第２実施例の主要部材の斜視からの説明図。
【図１０】第２実施例において、外側引戸を閉じる方向Ａに引いた場合の作動状態を示す説明図。
【図１１】第３実施例の主要部材の斜視からの説明図。
【図１２】及び
【図１３】鎌片と鎌キャッチャーとの非掛合状態を示す各説明図。
【図１４】及び
【図１５】鎌片と鎌キャッチャーとの掛合状態を示す各説明図。
【図１６】第４実施例の主要部材の斜視からの説明図。
【符号の説明】
Ｘ…鎌錠装置、１…一方の引戸、２，２Ｂ…外框、２ａ…合わせ縦板、３，３Ａ，３Ｂ，３Ｃ…鎌キャッチャー、４，４Ａ，４Ｂ，４Ｃ…鎌片、４ａ…先端部、４ｂ…中間部、４ｃ…後端部、５…内框、６…他方の引戸、７…鎌片用窓、８，８Ａ，８Ｂ，８Ｃ…係合端部、８ａ，８ｂ，８ｃ，８ｄ…係合溝、９…嵌合部、１０，１０Ｂ，１０Ｃ…垂直案内部、１２，１２Ｂ，１２Ｃ…バネ部材、１４，１４Ａ，１４Ｂ，１４Ｃ…係合突起部、１４ａ，４０…係止面、１４ｂ，４１…スライド係合面、１５…フロント、１６…鎌片出入り口、１７…固定枠、２１…操作片、２３…作動部材。
【図１】
0004195172.tif 000002
【図２】
0004195172.tif 000003
【図３】
0004195172.tif 000004
【図４】
0004195172.tif 000005
【図５】
0004195172.tif 000006
【図６】
0004195172.tif 000007
【図７】
0004195172.tif 000008
【図８】
0004195172.tif 000009
【図９】
0004195172.tif 000010
【図１０】
0004195172.tif 000011
【図１１】
0004195172.tif 000012
【図１２】
0004195172.tif 000013
【図１３】
0004195172.tif 000014
【図１４】
0004195172.tif 000015
【図１５】
0004195172.tif 000016
【図１６】
0004195172.tif 000017